(57)【要約】【課題】光源の光色を制御することにより運動を支援することができる照明装置を提供する。【解決手段】制御部１１は、運動開始の時点からの経過時間に応じて光源の光色を制御する。例えば、運動開始時点からウォームアップが必要な時間（ウォームアップ時間）には、心拍数が増大しない光色（例えば、昼光色など）にし、ウォームアップ時間が経過した後主運動時間には、運動効果を高めるべく心拍数を増大させる光色（例えば、電球色など）にし、さらに主運動時間が経過後のクールダウン時間には、再び心拍数を下げる光色（例えば、昼光色など）にするように光源を制御する。【選択図】図１
2009283317.tif 000002
【特許請求の範囲】
【請求項１】
利用者の運動時に用いられ、光源の光色を制御する制御部を備える照明装置において、
前記制御部は、
前記光源の光色を制御することにより、利用者の運動の負荷を調節可能とすることを特徴とする照明装置。
【請求項２】
前記制御部は、
利用者の運動の運動モードに応じて、前記光源の光色を制御することを特徴とする請求項１に記載の照明装置。
【請求項３】
利用者の運動モードを取得する運動モード取得手段を備えることを特徴とする請求項２に記載の照明装置。
【請求項４】
前記制御部は、
利用者の運動する時間に応じて、前記光源の光色を制御することを特徴とする請求項１に記載の照明装置。
【請求項５】
利用者の運動する時間に関する時間幅を取得する時間幅取得手段と、
該時間幅取得手段で取得した時間幅から第１運動時間及び該第１運動時間に続く第２運動時間を特定する特定手段と
を備え、
前記制御部は、
前記第１運動時間中では前記光源の色温度を上げるか又は該光源の色を寒色系の色に近づけるようにし、前記第２運動時間中では前記光源の色温度を下げるか又は該光源の色を暖色系の色に近づけるように構成してあることを特徴とする請求項４に記載の照明装置。
【請求項６】
前記制御部は、
前記第１運動時間中での時間経過に応じて、前記光源の色温度を徐々に下げるか又は該光源の色を暖色系の色に徐々に近づけるように構成してあることを特徴とする請求項５に記載の照明装置。
【請求項７】
前記特定手段は、
前記第２運動時間に続く第３運動時間を特定するように構成してあり、
前記制御部は、
前記第３運動時間中では前記光源の色温度を上げるか又は該光源の色を寒色系の色に近づけるように構成してあることを特徴とする請求項５又は請求項６に記載の照明装置。
【請求項８】
前記制御部は、
前記第３運動時間中での時間経過に応じて、前記光源の色温度を徐々に上げるか又は該光源の色を寒色系の色に徐々に近づけるように構成してあることを特徴とする請求項７に記載の照明装置。
【請求項９】
前記光源の色温度及び予め定められた識別情報を関連付けて記憶する記憶手段と、
識別情報を取得する識別情報取得手段と
を備え、
前記制御部は、
前記第２運動時間中では前記光源を前記識別情報取得手段で取得した識別情報に対応する色温度にするように構成してあることを特徴とする請求項５から請求項８までのいずれか１項に記載の照明装置。
【発明の詳細な説明】
【技術分野】
【０００１】
本発明は、光源の光色を制御することができる照明装置に関し、特に利用者が運動する際に運動を支援することができる照明装置に関する。
【背景技術】
【０００２】
従来、ＬＥＤなどの光源が発する光色が人体に影響を与えることが知られている。例えば、赤の波長の光の成分が多い場合、自律神経が刺激され、心拍数が増加して瞬発力が高まる。また、青の波長の光の成分が多い場合、副交感神経が刺激され、心拍数が減少して持久力が高まる。
【０００３】
また、光源の光色を利用した照明器具として、例えば、予め設定されたアラーム時刻になるとアラームが鳴動し、利用者が目を覚ましてアラーム釦を操作した場合、赤色ＬＥＤを発光させることにより、利用者が目覚めた後に交感神経を刺激して速やかに眠気を取ることができる照明器具が開示されている（特許文献１参照）。
【０００４】
一方で、メタボリック症候群などへの対応として、運動不足を解消して適度な運動を行うことができる運動器具が普及しており、一般家庭でも手軽に運動ができる運動器具が種々製品化されている。
【特許文献１】特開２００７−３２８９５４号公報
【発明の開示】
【発明が解決しようとする課題】
【０００５】
しかしながら、従来の運動器具では、利用者の運動量を調整するための複雑な運動制御機能を備えていないものも多く、運動開始時に急激な運動を行うと怪我をするおそれ、あるいは、心拍数が増加してめまいを起こすおそれなどがあり、却って障害が生じる場合がある。また、運動終了時に急激に運動をやめた場合にも心拍数が急激に変動して障害が生じるおそれがあった。
【０００６】
また、特許文献１の照明器具は、利用者が目を覚ました時に光源の光色を利用しているものの、利用者が運動器具を使用する場合に光源の光色を利用する点については何ら開示されていない。
【０００７】
本発明は斯かる事情に鑑みてなされたものであり、光源の光色を制御することにより運動を支援することができる照明装置を提供することを目的とする。
【課題を解決するための手段】
【０００８】
本発明に係る照明装置は、利用者の運動時に用いられ、光源の光色を制御する制御部を備える照明装置において、前記制御部は、前記光源の光色を制御することにより、利用者の運動の負荷を調節可能とすることを特徴とする。
【０００９】
本発明に係る照明装置は、前記制御部は、利用者の運動の運動モードに応じて、前記光源の光色を制御することを特徴とする。
【００１０】
本発明に係る照明装置は、利用者の運動モードを取得する運動モード取得手段を備えることを特徴とする。
【００１１】
本発明に係る照明装置は、前記制御部は、利用者の運動する時間に応じて、前記光源の光色を制御することを特徴とする。
【００１２】
本発明に係る照明装置は、利用者の運動する時間に関する時間幅を取得する時間幅取得手段と、該時間幅取得手段で取得した時間幅から第１運動時間及び該第１運動時間に続く第２運動時間を特定する特定手段とを備え、前記制御部は、前記第１運動時間中では前記光源の色温度を上げるか又は該光源の色を寒色系の色に近づけるようにし、前記第２運動時間中では前記光源の色温度を下げるか又は該光源の色を暖色系の色に近づけるように構成してあることを特徴とする。
【００１３】
本発明に係る照明装置は、前記制御部は、前記第１運動時間中での時間経過に応じて、前記光源の色温度を徐々に下げるか又は該光源の色を暖色系の色に徐々に近づけるように構成してあることを特徴とする。
【００１４】
本発明に係る照明装置は、前記特定手段は、前記第２運動時間に続く第３運動時間を特定するように構成してあり、前記制御部は、前記第３運動時間中では前記光源の色温度を上げるか又は該光源の色を寒色系の色に近づけるように構成してあることを特徴とする。
【００１５】
本発明に係る照明装置は、前記制御部は、前記第３運動時間中での時間経過に応じて、前記光源の色温度を徐々に上げるか又は該光源の色を寒色系の色に徐々に近づけるように構成してあることを特徴とする。
【００１６】
本発明に係る照明装置は、前記光源の色温度及び予め定められた識別情報を関連付けて記憶する記憶手段と、識別情報を取得する識別情報取得手段とを備え、前記制御部は、前記第２運動時間中では前記光源を前記識別情報取得手段で取得した識別情報に対応する色温度にするように構成してあることを特徴とする。
【００１７】
本発明にあっては、照明装置は、光源の光色を制御することにより、利用者の運動の負荷を調節する。例えば、利用者が運動を開始したときは、急激に心拍数が増大しないように光源の光色を制御して利用者の運動の負荷を抑制する。また、利用者が運動に慣れてきたときは、心拍数を増大させるように光源の光色を制御して運動の負荷を増やし運動効果を高める。これにより、光源の光色を制御することにより運動を支援することができる。
【００１８】
本発明にあっては、照明装置は、利用者の運動の運動モードに応じて、光源の光色を制御する。運動モードは、例えば、ウォームアップ運動、主運動、クールダウン運動などとすることができる。これにより、利用者の運動モードに応じて光源の光色を制御して、運動モードに応じて利用者の運動の負荷を調節することができる。
【００１９】
本発明にあっては、照明装置は、利用者の運動モードを取得する運動モード取得手段を備える。例えば、利用者は、手元の遠隔装置（リモコンなど）で自分の好みの運動モードを設定し、照明装置は、設定された運動モードを取得することができる。これにより、利用者の運動メニュー又は運動パターンに関わらず、利用者の所望の運動モードを的確に取得することができる。
【００２０】
本発明にあっては、照明装置は、利用者の運動する時間に応じて、光源の光色を制御する。例えば、利用者の運動する時間が短いときは、心拍数が増大しないように光源の光色を制御して利用者の運動の負荷を抑制する。また、利用者の運動する時間が長いときは、利用者が運動にも慣れるので、心拍数を増大させるように光源の光色を制御して運動の負荷を増やし運動効果を高める。これにより、光源の光色を制御することにより運動を支援することができる。
【００２１】
本発明にあっては、照明装置は、利用者の運動する時間に関する時間幅を取得し、取得した時間幅から第１運動時間及び第１運動時間に続く第２運動時間を特定する。利用者の運動する時間に関する時間幅は、例えば、利用者が運動器具を使用する時間などである。第１運動時間は、例えば、ウォームアップ時間であり、第２運動時間は本格的に運動を行う主運動時間である。照明装置は、第１運動時間（ウォームアップ時間）中では光源の色温度を上げるか又は光源の色を寒色系の色に近づける。例えば、光源の色を心拍数が増大しない昼光色（青の波長成分が多い色）、色温度を６５００Ｋ〜７０００Ｋ程度とすることができる。また、照明装置は、第２運動時間（主運動時間）中では光源の色温度を下げるか又は光源の色を暖色系の色に近づける。例えば、光源の色を、運動効果を高めるべく心拍数を増大させる電球色（赤の波長成分が多い色）、色温度を２８００Ｋ程度にする。これにより、複雑な運動制御機能を備えていない運動器具を使用する場合でも、怪我又はめまいなどの障害を防止しつつ運動効果を高めることができ、運動を支援するための環境を実現することができる。また、ウォームアップ時には、心拍数を増大させることなく徐々に運動に慣れるようにし、主運動時には、心拍数を増大させて運動効果を高め、運動効率を向上させることができる。
【００２２】
また、本発明にあっては、照明装置は、第１運動時間（ウォームアップ時間）中での時間経過に応じて、光源の色温度を徐々に下げるか又は光源の色を暖色系の色に徐々に近づける。例えば、ウォームアップ開始時点では、光源の色を昼光色（青の波長成分が多い色）、色温度を６５００Ｋ〜７０００Ｋ程度とし、ウォームアップ時間の終了に近づくにつれて、光源の色を徐々に電球色（赤の波長成分が多い色）、色温度を２８００Ｋ程度に近づける。これにより、ウォームアップ中に光源の光色を徐々に変化させることができ、利用者にとって違和感又は不快感を与えることなく運動に慣れるようにすることができる。
【００２３】
また、本発明にあっては、照明装置は、第２運動時間に続く第３運動時間を特定する。第３運動時間は、例えば、クールダウン時間である。照明装置は、第３運動時間（クールダウン時間）中では光源の色温度を上げるか又は光源の色を寒色系の色に近づける。例えば、光源の色を昼光色（青の波長成分が多い色）、色温度を６５００Ｋ〜７０００Ｋ程度とすることができる。これにより、クールダウン時には、心拍数を下げるようにして怪我などの障害を防止するとともに、疲労回復効果を高めることができる。
【００２４】
また、本発明にあっては、照明装置は、第３運動時間（クールダウン時間）中での時間経過に応じて、光源の色温度を徐々に上げるか又は光源の色を寒色系の色に徐々に近づける。例えば、クールダウン開始時点では、光源の色を電球色（赤の波長成分が多い色）、色温度を２８００Ｋ程度とし、クールダウン時間の終了に近づくにつれて、光源の色を徐々に昼光色（青の波長成分が多い色）、色温度を６５００Ｋ〜７０００Ｋ程度に近づける。これにより、クールダウン中に光源の光色を徐々に変化させることができ、利用者にとって違和感又は不快感を与えることなく運動を終了することができる。
【００２５】
また、本発明にあっては、照明装置は、光源の色温度及び予め定められた識別情報を関連付けて記憶しておく。識別情報は、例えば、利用者を識別する情報である。照明装置は、運動器具を使用する利用者の識別情報を取得した場合、第２運動時間（主運動時間）において、光源を取得した識別情報に対応する色温度にする。これにより、利用者により光色の感じ方が異なる場合でも、利用者の好みに併せて光源の光色を設定することができ、利用者に違和感や不快感を与えることを防止することができる。
【発明の効果】
【００２６】
本発明によれば、運動器具を使用する場合に、怪我又はめまいなどの障害を防止しつつ運動効果を高めることができ、運動を支援するための環境を実現することができる。
【発明を実施するための最良の形態】
【００２７】
以下、本発明をその実施の形態を示す図面に基づいて説明する。図１は本発明に係る照明装置１０の構成の一例を示すブロック図である。なお、照明装置１０には、遠隔操作のためのリモコン２０が含まれる。
【００２８】
リモコン２０は、リモコン２０全体を制御する制御部２１、操作部２２、表示部２３、送信部２４、記憶部２５などを備えている。
【００２９】
操作部２２は、照明装置１０の点灯又は消灯、光源の光色の設定、運動器具（不図示）の使用時間である運動時間の設定、ウォームアップ、主運動又はクールダウンの各継続時間の設定、ユーザ（利用者）の設定などの操作を受け付ける。なお、運動器具の使用に関して、継続時間の設定を受け付けることなく運動時間の設定のみを受け付ける構成でもよい。この場合には、後述するように制御部１１で運動時間に基づいてウォームアップ、主運動又はクールダウンの各継続時間を特定すればよい。
【００３０】
表示部２３は、液晶ディスプレイなどで構成され、運動支援動作中であるか否かを示す文字又は記号、運動モード（ウォームアップ、主運動又はクールダウン）、残り時間などを表示する。
【００３１】
送信部２４は、例えば、変調回路、赤外線通信機能を備え、照明装置１０の点灯又は消灯を指示する情報、運動時間、ウォームアップ、主運動又はクールダウンの各継続時間、ユーザ（利用者）等の情報などを含む信号を照明装置１０へ送信する。
【００３２】
記憶部２５は、半導体メモリ等で構成され、所定の情報を記憶する。
【００３３】
照明装置１０は、照明装置１０全体を制御する制御部１１、受信部１２、白色駆動部１３、白色ＬＥＤモジュール１４、Ｒ駆動部１５、Ｇ駆動部１６、Ｂ駆動部１７、ＲＧＢ・ＬＥＤモジュール１８、所定の情報を記憶する記憶部１９などを備える。
【００３４】
受信部１２は、赤外線受光素子、復調回路などを備え、リモコン２０から送信された信号を受信し、受信した信号を復調して復調後の情報を制御部１１へ出力する。
【００３５】
白色ＬＥＤモジュール１４は、白色ＬＥＤ素子をパッケージしたＬＥＤである。白色駆動部１３は、白色ＬＥＤモジュール１４へ供給する電流を駆動する駆動回路を備え、制御部１１の制御のもと白色ＬＥＤモジュール１４の光量を制御することができる。また、白色ＬＥＤモジュール１４としては、青色ＬＥＤ素子に該青色ＬＥＤ素子から出射される青色の光に励起されて黄色の光を発光する蛍光体を樹脂封止してパッケージしたＬＥＤであってもよい。
【００３６】
ＲＧＢ・ＬＥＤモジュール１８は、例えば、赤色（Ｒ）ＬＥＤ素子、青色（Ｂ）ＬＥＤ素子、緑色（Ｇ）ＬＥＤ素子の三色のＬＥＤ素子をパッケージしたＬＥＤである。Ｒ駆動部１５、Ｇ駆動部１６、Ｂ駆動部１７は、それぞれ赤色（Ｒ）ＬＥＤ素子、青色（Ｂ）ＬＥＤ素子、緑色（Ｇ）ＬＥＤ素子へ供給する電流を駆動する駆動回路を備え、制御部１１の制御のもと赤色（Ｒ）ＬＥＤ素子、青色（Ｂ）ＬＥＤ素子、緑色（Ｇ）ＬＥＤ素子の光量を制御することができる。白色ＬＥＤモジュール１４及びＲＧＢ・ＬＥＤモジュール１８により光源を構成し、各色のＬＥＤ素子の発光強度（輝度）を調整することにより、光源の光色、色温度を制御して、例えば、電球色、昼光色などの光色を発光させることができる。
【００３７】
なお、上述のＬＥＤモジュールに代えて、それぞれが複数個の同一色のＬＥＤから構成されていてもよい。また、ＬＥＤに代えて、蛍光灯、白熱灯、高圧放電灯などの他の光源又はこのような光源にカラーフィルタを設けた光源であってもよい。
【００３８】
制御部１１は、受信部１２を通じてリモコン２０から送信された点灯又は消灯を指示する情報、運動時間、ウォームアップ、主運動又はクールダウンの各継続時間、ユーザ等の情報に基づいて、照明装置１０を制御する。
【００３９】
より具体的には、制御部１１は、ユーザが運動器具を用いて運動する時間（運動時間）を取得した場合に、ウォームアップ、主運動又はクールダウンの各継続時間を取得していないときは、第１運動時間としてのウォームアップ時間、第２運動時間としての主運動時間、第３運動時間としてのクールダウン時間を特定する。なお、この場合、ウォームアップ時間及び主運動時間のみを特定する構成でもよい。また、ウォームアップ、主運動又はクールダウンの各継続時間を取得した場合には、取得した各継続時間をウォームアップ、主運動又はクールダウンの各継続時間として特定する。
【００４０】
制御部１１は、運動開始の時点からの経過時間に応じて光源の光色を制御する。例えば、運動開始時点からウォームアップが必要な時間（ウォームアップ時間）には、心拍数が増大しない光色（例えば、昼光色など）にし、ウォームアップ時間が経過した後の主運動時間には、運動効果を高めるべく心拍数を増大させる光色（例えば、電球色など）にし運動の負荷を高め、さらに主運動時間が経過後のクールダウン時間には、再び心拍数を下げて運動の負荷を軽減する光色（例えば、昼光色など）にするように光源を制御する。これにより、複雑な運動制御機能を備えていない運動器具を使用する場合でも、光源の光色により運動の負荷を調節して、怪我又はめまいなどの障害を防止しつつ運動効果を高めることができ、運動を支援するための環境を実現することができる。
【００４１】
より具体的には、制御部１１は、ウォームアップ時間において光源の色温度を上げるか又は光源の色を寒色系の色に近づける。例えば、光源の色を昼光色（青の波長成分が多い色）、色温度を６５００Ｋ〜７０００Ｋ程度とすることができる。これにより、ウォームアップ時には、心拍数を増大させることなく徐々に運動に慣れるようにすることができる。
【００４２】
また、制御部１１は、ウォームアップ時間での時間経過に応じて、光源の色温度を徐々に下げるか又は光源の色を暖色系の色に徐々に近づけることもできる。例えば、ウォームアップ開始時点では、光源の色を昼光色（青の波長成分が多い色）、色温度を６５００Ｋ〜７０００Ｋ程度とし、ウォームアップ時間の終了に近づくにつれて、光源の色を徐々に電球色（赤の波長成分が多い色）、色温度を２８００Ｋ程度に近づける。これにより、ウォームアップ中に光源の光色を徐々に変化させることができ、ユーザにとって違和感又は不快感を与えることなく運動に慣れるようにすることができる。
【００４３】
制御部１１は、主運動時間において光源の色温度を下げるか又は光源の色を暖色系の色に近づける。例えば、光源の色を電球色（赤の波長成分が多い色）、色温度を２８００Ｋ程度にする。これにより、心拍数を増大させて運動効果を高め、運動効率を向上させることができる。
【００４４】
制御部１１は、クールダウン時間において光源の色温度を上げるか又は光源の色を寒色系の色に近づける。例えば、光源の色を昼光色（青の波長成分が多い色）、色温度を６５００Ｋ〜７０００Ｋ程度とすることができる。これにより、クールダウン時には、心拍数を下げるようにして怪我などの障害を防止するとともに、疲労回復効果を高めることができる。
【００４５】
また、制御部１１は、クールダウン時間での時間経過に応じて、光源の色温度を徐々に上げるか又は光源の色を寒色系の色に徐々に近づけることもできる。例えば、クールダウン開始時点では、光源の色を電球色（赤の波長成分が多い色）、色温度を２８００Ｋ程度とし、クールダウン時間の終了に近づくにつれて、光源の色を徐々に昼光色（青の波長成分が多い色）、色温度を６５００Ｋ〜７０００Ｋ程度に近づける。これにより、クールダウン中に光源の光色を徐々に変化させることができ、ユーザにとって違和感又は不快感を与えることなく運動を終了することができる。
【００４６】
また、制御部１１は、クールダウン時間で光源全体の光量を少なくし、ウォームアップ時及び主運動時に比べて照度を下げた状態で光源を点灯させることもできる。これにより、運動を行っている室内が暗くなりリラックス効果を一層高めることができる。
【００４７】
制御部１１は、リモコン２０から運動時間を取得しない場合には、所定の光色（例えば、白色、昼光色と電球色との中間の色など）、所定の色温度で光源が点灯するように制御する。
【００４８】
制御部１１は、前述の各機能を備えた専用ハードウエア回路で構成することもでき、あるいは、マイクロコンピュータ、ＲＡＭ等を備えておき、前述の各機能を実現するための処理手順が定められたコンピュータプログラムコードをＣＰＵで実行させる構成とすることもできる。
【００４９】
図２はリモコン２０の操作部２２及び表示部２３の一例を示す模式図である。図２に示すように、照明装置１０に対する操作を受け付ける操作ボタンとして、照明の点灯／消灯ボタン、運動時間を設定する運動時間設定ボタン、光の色を設定するための設定ボタン（三角形状のボタン）、ユーザを識別するためのユーザ設定ボタン、設定した情報を照明装置１０へ送信するための送信ボタンなどを備えている。なお、運動時間設定ボタンで、運動時間だけでなくウォームアップ時間などの継続時間を設定するようにしてもよい。
【００５０】
表示部２３は、運転支援動作中であるか否かを示す文字又は記号（例えば、運転支援動作中など）、運動モード（例えば、ウォームアップなど）、運動時間の残り時間（例えば、１５分など）等を表示する。なお、操作部２２、表示部２３は一例であって、これらに限定されるものではない。
【００５１】
次に照明装置１０の動作について説明する。図３は制御部１１の処理手順を示すフローチャートである。制御部１１は、点灯操作の有無を判定し（Ｓ１１）、点灯操作がない場合（Ｓ１１でＮＯ）、ステップＳ１１の処理を続ける。点灯操作があった場合（Ｓ１１でＹＥＳ）、制御部１１は、リモコン２０から運動時間を取得（受信）したか否かを判定する（Ｓ１２）。
【００５２】
運動時間を取得していない場合（Ｓ１２でＮＯ）、制御部１１は、運動支援動作ではないと判定し、所定の色温度（所定の光色）及び照度で光源を点灯又は点灯を維持する（Ｓ１３）。
【００５３】
運動時間を取得した場合（Ｓ１２でＹＥＳ）、制御部１１は、運動支援動作であると判定し、ウォームアップ、主運動、クールダウンの各時間を特定する（Ｓ１４）。例えば、運動時間が２５分である場合、ウォームアップ時間を５分、主運動時間を１５分、クールダウン時間を５分の如く運動時間内で各時間を割り当ててもよく、あるいは、運動時間が２５分である場合、ウォームアップ時間を５分、主運動時間を２０分とし、さらにクールダウン時間を５分の如く、運動時間にクールダウン時間を付け足すようにしてもよい。また、クールダウン時間を設けなくてもよい。また、ウォームアップ、主運動又はクールダウンの各時間をユーザがリモコン２０で設定する場合には、設定された時間を用いればよい。
【００５４】
制御部１１は、ウォームアップ時の色温度（光色）で光源を点灯又は点灯を維持し（Ｓ１５）、ウォームアップ時間が経過したか否かを判定する（Ｓ１６）。ウォームアップ時間が経過していない場合（Ｓ１６でＮＯ）、制御部１１は、ステップＳ１６の処理を続ける。
【００５５】
ウォームアップ時間が経過した場合（Ｓ１６でＹＥＳ）、制御部１１は、主運動時の色温度（光色）で光源を点灯維持し（Ｓ１７）、主運動時間が経過したか否かを判定する（Ｓ１８）。主運動時間が経過していない場合（Ｓ１８でＮＯ）、制御部１１は、ステップＳ１８の処理を続ける。
【００５６】
主運動時間が経過した場合（Ｓ１８でＹＥＳ）、制御部１１は、クールダウン時の色温度（光色）で光源を点灯維持し（Ｓ１９）、光源全体の照度を下げて点灯を維持し（Ｓ２０）、クールダウン時間が経過したか否かを判定する（Ｓ２１）。クールダウン時間が経過していない場合（Ｓ２１でＮＯ）、制御部１１は、ステップＳ２１の処理を続け、クールダウン時間が経過した場合（Ｓ２１でＹＥＳ）、ステップＳ１３の処理を行う。
【００５７】
制御部１１は、消灯操作の有無を判定し（Ｓ２２）、消灯操作がない場合（Ｓ２２でＮＯ）、ステップＳ１２以降の処理を続ける。消灯操作があった場合（Ｓ２２でＹＥＳ）、制御部１１は、光源を消灯し（Ｓ２３）、処理を終了する。
【００５８】
図４は運動モードに対する光源の光色の制御の一例を示すタイムチャートである。図４に示すように、運動モードとしては、ウォームアップ、主運動、クールダウンを設けてあり、各継続時間は、それぞれ５分、２０分、５分である。なお、継続時間は一例であって、これに限定されるものではない。
【００５９】
図４に示すように、ウォームアップ時には光源の色温度を６５００Ｋ程度、光色を昼光色にし、主運動時には光源の色温度を２８００Ｋ程度、光色を電球色にし、クールダウン時には光源の色温度を６５００Ｋ程度、光色を昼光色にする。これにより、ウォームアップ時には、心拍数を増大させることなく徐々に運動に慣れるようにし、主運動時には、心拍数を増大させて運動効果を高め、運動効率を向上させることができる。また、クールダウン時には、心拍数を下げるようにして怪我などの障害を防止するとともに、疲労回復効果を高めることができる。
【００６０】
なお、主運動時における光源の色温度、光色はユーザの好みに応じて変更することもできる。例えば、光源の色温度とユーザを識別する識別情報とを関連付けて記憶部１９又は記憶部２５に記憶しておく。制御部１１は、リモコン２０を通じてユーザの識別情報を取得した場合、取得した識別情報に対応する色温度で光源を点灯させる。これにより、ユーザにより光色の感じ方が異なる場合でも、ユーザの好みに併せて光源の光色を設定することができ、ユーザに違和感や不快感を与えることを防止することができる。
【００６１】
図５は運動モードに対する光源の光色の制御の他の例を示すタイムチャートである。図５に示すように、運動モードとしては、ウォームアップ、主運動、クールダウンを設けてあり、各継続時間は、それぞれ５分、２０分、５分である。なお、継続時間は一例であって、これに限定されるものではない。
【００６２】
図５に示すように、ウォームアップ時には時間経過に応じて、光源の色温度を徐々に下げるか又は光源の色を暖色系の色に徐々に近づける。例えば、ウォームアップ開始時点では、光源の色を昼光色（青の波長成分が多い色）、色温度を６５００Ｋ程度とし、ウォームアップ時間の終了に近づくにつれて、光源の色を徐々に電球色（赤の波長成分が多い色）、色温度を２８００Ｋ程度に近づける。これにより、ウォームアップ中に光源の光色を徐々に変化させることができ、ユーザにとって違和感又は不快感を与えることなく運動に慣れるようにすることができる。
【００６３】
また、主運動時には、光源の色温度を２８００Ｋ程度、光色を電球色にする。
【００６４】
また、クールダウン時には時間経過に応じて、光源の色温度を徐々に上げるか又は光源の色を寒色系の色に徐々に近づける。例えば、クールダウン開始時点では、光源の色を電球色（赤の波長成分が多い色）、色温度を２８００Ｋ程度とし、クールダウン時間の終了に近づくにつれて、光源の色を徐々に昼光色（青の波長成分が多い色）、色温度を６５００Ｋ程度に近づける。これにより、クールダウン中に光源の光色を徐々に変化させることができ、ユーザにとって違和感又は不快感を与えることなく運動を終了することができる。
【００６５】
図６は運動モードに対する光源の光色の制御の他の例を示すタイムチャートである。図６に示すように、運動モードとしては、ウォームアップ、主運動、クールダウンを設けてあり、各継続時間は、それぞれ５分、５５分、５分である。なお、継続時間は一例であって、これに限定されるものではない。図６の例は、図４、図５の場合に比べて主運動時間が長い場合である。
【００６６】
図６に示すように、ウォームアップ時には、ウォームアップ開始から数分の間は光源の色を昼光色（青の波長成分が多い色）、色温度を６５００Ｋ程度とし、その後時間経過とともに光源の色を徐々に電球色（赤の波長成分が多い色）、色温度を２８００Ｋ程度に近づける。これにより、ウォームアップ中に光源の光色を徐々に変化させることができ、ユーザにとって違和感又は不快感を与えることなく運動に慣れるようにすることができる。
【００６７】
また、主運動時には、強い運動量と弱い運動量とで交互に運動を行うインターバルの間隔に合わせて、光源の色を昼光色（青の波長成分が多い色）、色温度を６５００Ｋ程度にする時間と、光源の色を電球色（赤の波長成分が多い色）、色温度を２８００Ｋ程度にする時間とを交互に繰り返す。これにより、運動量に合わせて運動効果を高めることができる。
【００６８】
また、クールダウン時には、時間の経過とともに、光源の色を電球色（赤の波長成分が多い色）、色温度を２８００Ｋ程度から、光源の色を徐々に昼光色（青の波長成分が多い色）、色温度を６５００Ｋ程度に近づける。クールダウン時間が終了する数分前からは、光源の色を昼光色（青の波長成分が多い色）、色温度を６５００Ｋ程度で維持する。これにより、ユーザにとって違和感又は不快感を与えることなく運動を終了することができる。
【００６９】
また、ウォームアップ、主運動、クールダウンの運動モードの順序は上記例に限定されない。様々なパターンの運動モードの遷移に対応することも可能である。さらに、主運動として、運動の強度の異なる複数種類の主運動が含まれていてもよく、運動の強度の大きさに応じて光源の光色を調整することもできる。
【００７０】
以上説明したように、本発明によれば、一般家庭内で運動器具を利用する場合、怪我又はめまいなどの障害を防止しつつ運動効果を高めることができ、運動を支援するための環境を実現することができる。
【００７１】
上述の実施の形態では、ウォームアップ、主運動又はクールダウンの各継続時間を特定して、各運動の運動内容の継続時間（運動時間）を対応して、光源であるＬＥＤモジュールの光色を制御するようにしているが、利用者の運動のウォームアップ、主運動又はクールダウン等の運動内容（運動モード）に対応して、光色を制御するようにしていてもよい。
【００７２】
例えば、利用者が、運動モード取得部としてのリモコン２０の操作部２２で、これから実施しようとする運動モードを入力した場合、送信部２４から運度モードに関する信号が送信され、この信号を照明装置１０の受信部１２で受信し、制御部１１に伝達することにより、制御部１１によって運動モードに対応した光色となるように光源であるＬＥＤモジュール（白色ＬＥＤモジュール１４及びＲＧＢ・ＬＥＤモジュール１８）が制御される。なお、運動モードに対応する光色については、上述したように、運動モードがウォームアップ又はクールダウンであれば青の波長成分が多い昼光色又は色温度が高い色が好ましく、運動モードが主運動であれば赤の波長成分の多い電球色又は色温度が低い色が好ましい。
【００７３】
また、運動モードの取得については、リモコン２０の操作部２２で入力されて取得されるのではなく、利用者の動きを検出する運動検出部（図示せず）を照明装置に別途設けておき、利用者の動きを自動的に検出して、運動内容に対応して光源の光色を制御していてもよい。運動検出部で検出された利用者の動きが大きく激しければ主運動と判断して、赤の波長成分の多い電球色又は色温度が低い色が選択され、利用者の動きが小さく穏やかであればウォームアップ又はクールダウンと判断して、青の波長成分が多い昼光色又は色温度が高い色を選択する。なお、動きの大きさに対応させて、細かく光色を制御してもよい。
【００７４】
以上、本構成にすることにより、ウォームアップ、主運動、クールダウンの順に遷移する運動モードの順序に限定されず、利用者が実施したい運動モードに即時に対応する光源の光色の制御が可能である。また、自動的に運動モードを検出可能とすれば、使用者の入力作業を省くことができ、簡便に運動を支援する光源の光色の制御が可能となる。
【００７５】
上述の実施の形態では、ウォームアップ時、クールダウン時などに光源の光色を昼光色にする構成であったが、これに限定されるものではなく、昼白色、昼光色と電球色との混色などにすることもできる。また、主運動時には、光源の光色を電球色にする構成であったが、例えば、ユーザが比較的高齢であるような場合もあることから、電球色に代えて、昼光色と電球色との混色を用いることで心拍数を若干抑える方向にすることもできる。
【００７６】
また、上述の実施の形態では、主運動時は、光源の光色を電球色（赤の波長成分が多い色）又は低い色温度（２８００Ｋ程度）の色とすることより、利用者の心拍数を増大させて運動の負荷を高めて運動効果を向上させているが、逆に、光源の光色を昼光色（青の波長成分が多い色）又は高い色温度（６５００Ｋ〜７０００Ｋ程度）の色とすることにより利用者の心拍数を下げて運動の負荷を低減させることにより、使用者の長時間の運動の継続を可能とし、利用者の持久力を向上させる運動効果を実現することができる。
【図面の簡単な説明】
【００７７】
【図１】本発明に係る照明装置の構成の一例を示すブロック図である。
【図２】リモコンの操作部及び表示部の一例を示す模式図である。
【図３】制御部の処理手順を示すフローチャートである。
【図４】運動モードに対する光源の光色の制御の一例を示すタイムチャートである。
【図５】運動モードに対する光源の光色の制御の他の例を示すタイムチャートである。
【図６】運動モードに対する光源の光色の制御の他の例を示すタイムチャートである。
【符号の説明】
【００７８】
１０  照明装置
１１  制御部
１２  受信部
１３  白色駆動部
１４  白色ＬＥＤモジュール
１５  Ｒ駆動部
１６  Ｇ駆動部
１７  Ｂ駆動部
１８  ＲＧＢ・ＬＥＤモジュール
１９  記憶部
２０  リモコン
２１  制御部
２２  操作部
２３  表示部
２４  送信部
２５  記憶部
【図１】
2009283317.tif 000003
【図２】
2009283317.tif 000004
【図３】
2009283317.tif 000005
【図４】
2009283317.tif 000006
【図５】
2009283317.tif 000007
【図６】
2009283317.tif 000008